(57)【要約】【課題】文字板に余分な印刷調光等を施すことなく、複数の意匠のそれぞれに対して照明効率を高めることができる意匠照明装置を提供する。【解決手段】意匠形状に応じて光源収容室１１ｄ１〜１１ｄ６の側壁１１ｄ１′〜１１ｄ６′の傾斜角を替えている。すなわち、１３ｄ４に示すような比較的小さめの意匠に対しては側壁の傾斜角を急にし、１３ｄ５に示すような比較的大きめの意匠に対しては側壁の傾斜角を緩やかにしている。また、光源収容室１１ｄ１〜１１ｄ６はそれぞれ意匠形状に応じた意匠開口部を有している。【選択図】      図５
2004354455.tif 000002
【特許請求の範囲】
【請求項１】
文字板上に形成された形状の異なる複数の意匠にそれぞれ対応する複数の光源収容室を有し、これら光源収容室のそれぞれの底面開口部に配置された同等性能の光源により、前記複数の意匠をそれぞれ照明する装置であって、
前記複数の光源収容室はそれぞれ、
同等の深さ及び同等形状の底面開口部を有しており、更に、
底面開口部縁から前記複数の意匠の形状にそれぞれ応じた角度で上方に向かって徐々に開口するように形成された側壁及び前記複数の意匠に対応する形状の意匠開口部を有する、
ことを特徴とする意匠照明装置。
【請求項２】
請求項１記載の意匠照明装置において、
前記側壁は、小さな意匠に対してはこれよりも大きな意匠よりも、より直立している、
ことを特徴とする意匠照明装置。
【請求項３】
請求項１又は２記載の意匠照明装置において、
前記複数の光源収容室におけるそれぞれの意匠開口部、側壁及び底面開口部の四隅は共に、対応する前記複数の意匠の形状に応じたＲ形状をしている、
ことを特徴とする意匠照明装置。
【請求項４】
請求項３記載の意匠照明装置において、
前記複数の意匠は、車両用計器における文字板の所定箇所に集中的に形成されたワーニング意匠群である、
ことを特徴とする意匠照明装置。
【請求項５】
請求項４記載の意匠照明装置において、
前記複数の意匠は、
前記文字板の上面に印刷形成されたものである、
ことを特徴とする意匠照明装置。
【請求項６】
請求項４記載の意匠照明装置において、
前記複数の意匠は、
前記文字板の下面に印刷形成されたものである、
ことを特徴とする意匠照明装置。
【発明の詳細な説明】
【０００１】
【発明の属する技術分野】
本発明は、文字板上に形成された形状の異なる複数の意匠にそれぞれ対応する複数の光源収容室を有する意匠照明装置に関し、特に、車両用計器に適用されて有効な意匠照明装置に関する。
【０００２】
【従来の技術】
近年普及しているスピードメータ部やタコメータ部等が一体化されて構成された車両用計器には、その文字板上にオイル警告やブレーキ警告をはじめとして多くのワーニング意匠が形成されている。ところが、ワーニング意匠はそれぞれ固有の形状であるのに対して、ワーニング意匠のそれぞれに対しては一律の照明構造又は照明装置が採用されいるため、個々の意匠に着目すると、照明不足や照明過剰等の問題が発生していた。以下にこの問題について図面を用いて説明する。
【０００３】
図７は従来の照明装置を示す正面図であり、図８は図７の照明装置の概略断面図である。図７及び図８に示すように、車両用計器のワーニング表示部９１には、文字板９３上に形成された形状の異なる複数の意匠９３ｄ１〜９３ｄ４等に対応する複数の光源収容室９１ｄ１〜９１ｄ５が設けられている。複数の光源収容室９１ｄ１〜９１ｄ５は共に、同型状の四角形箱型をしており、その底面開口部には、同等性能の光源Ｌ９１〜Ｌ９５が配置されている。補足すると、それぞれの光源収容室９１ｄ１〜９１ｄ５を仕切る壁９４ｄ４′等は共に同等の傾斜角（この例では直立している）であり、複数の意匠９３ｄ１〜９３ｄ４等に対応する意匠開口部も共に同型状の四角形である。
【０００４】
このような構成において、光源収容室９１ｄ１、意匠９３ｄ１及び光源収容室９１ｄ２、意匠９３ｄ２を用いて、その作用を以下に説明する。まず、所定のワーニング用トリガに応答して、光源Ｌ９１及びＬ９２が点灯すると、それらの出射光Ｒ９１及びＲ９２はそれぞれ、光源収容室９１ｄ１及び９１ｄ２内を上方に向かい、この結果、意匠９３ｄ１及び９３ｄ２が背面から照明される。そして、照明された意匠９３ｄ１及び９３ｄ２がドライバ等から視認される。なお、このような照明装置は、例えば、下記特許文献１にも記載されている。
【０００５】
【特許文献１】
実開昭６３−７３７９５号公報（第１図、第２図）
【０００６】
【発明が解決しようとする課題】
ところで、意匠９３ｄ１及び９３ｄ２はそれぞれ、異なる形状、例えば、異なる意匠幅Ｗ９１及びＷ９２を有している。このため、上記のように、それぞれの意匠９３ｄ１及び９３ｄ２に対して一律の照明を行うと、比較的広い幅Ｗ９１を有する意匠９３ｄ１の図中左右端部は光源から離れているため照明不足になるのに対して、比較的狭い幅Ｗ９２を有する意匠９３ｄ２は照明過剰になる。また、意匠９３ｄ１に着目しても、その収容室９１ｄ１の側壁９４ｄ４′は直立しているので、例えば、Ｒ９１′で示すように、光源Ｌ９１からの光Ｒ９１は側壁９４ｄ４′で反射後、大部分は意匠９３ｄ１の中央部に向かう。このため、直接光及び反射光が合成されて、意匠９３ｄ１の中央部のみがより顕著に照射されることになる。他の意匠９３ｄ３及び９３ｄ４等に対しても形状に依存して同様の問題が発生する。すなわち、上記従来の照明装置では、個々の意匠に対して照明効率が好ましくなかった。これを回避するためには、文字板に裏面印刷調光等を施すことが必要となるが、形状の異なる多数の意匠が存在する車両用計器等において、全意匠に対してそれぞれ最適な印刷調光等を施すことは困難かつ多大な工数の浪費が予想される。
【０００７】
よって本発明は、上述した現状に鑑み、文字板に余分な印刷調光等を施すことなく、複数の意匠のそれぞれに対して照明効率を高めることができる意匠照明装置を提供することを課題としている。
【０００８】
【課題を解決するための手段】
上記課題を解決するためになされた請求項１記載の意匠照明装置は、文字板上に形成された形状の異なる複数の意匠にそれぞれ対応する複数の光源収容室を有し、これら光源収容室のそれぞれの底面開口部に配置された同等性能の光源により、前記複数の意匠をそれぞれ照明する装置であって、前記複数の光源収容室はそれぞれ、同等の深さ及び同等形状の底面開口部を有しており、更に、底面開口部縁から前記複数の意匠の形状にそれぞれ応じた角度で上方に向かって徐々に開口するように形成された側壁及び前記複数の意匠に対応する形状の意匠開口部を有する、ことを特徴とする。
【０００９】
請求項１記載の発明によれば、複数の光源収容室はそれぞれ、底面開口部縁から複数の意匠の形状にそれぞれ応じた角度で上方に向かって徐々に開口するように形成された側壁及び複数の意匠に対応する形状の意匠開口部を有している。したがって、光源収容室のそれぞれの側壁傾斜角及び意匠開口部を複数の意匠形状に対応させて形成するだけで、複数の意匠のそれぞれに対して照明効率を高めることができる。
【００１０】
上記課題を解決するためになされた請求項２記載の意匠照明装置は、請求項１記載の意匠照明装置において、前記側壁は、小さな意匠に対してはこれよりも大きな意匠よりも、より直立している、ことを特徴とする。
【００１１】
請求項２記載の発明によれば、光源収容室の側壁は、小さな意匠に対してはこれよりも大きな意匠よりも、より直立している。したがって、意匠の大小に拘わらず、複数の意匠のそれぞれに対して照明効率を高めることができる。
【００１２】
上記課題を解決するためになされた請求項３記載の意匠照明装置は、請求項１又は２記載の意匠照明装置において、前記複数の光源収容室におけるそれぞれの意匠開口部、側壁及び底面開口部の四隅は共に、対応する前記複数の意匠の形状に応じたＲ形状をしている、ことを特徴とする。
【００１３】
請求項３記載の発明によれば、複数の光源収容室におけるそれぞれの意匠開口部、側壁及び底面開口部の四隅は共に、対応する複数の意匠の形状に応じたＲ形状をしているので、複数の意匠のそれぞれに対して照明効率を高めることができる。
【００１４】
上記課題を解決するためになされた請求項４記載の意匠照明装置は、請求項３記載の意匠照明装置において、前記複数の意匠は、車両用計器における文字板の所定箇所に集中的に形成されたワーニング意匠群である、ことを特徴とする。
【００１５】
請求項４記載の発明によれば、車両用計器における文字板に形成されたワーニング意匠群に適用されて更に効果を発揮する。すなわち、車両用計器においては、形状の異なる多数のワーニング意匠が存在するため、全ワーニング意匠に対してそれぞれ最適な印刷調光等を施すことは困難かつ多大な工数が必要であるが、本発明によりこれを解決することができる。
【００１６】
上記課題を解決するためになされた請求項５記載の意匠照明装置は、請求項４記載の意匠照明装置において、前記複数の意匠は、前記文字板の上面に印刷形成されたものである、ことを特徴とする。
【００１７】
また、上記課題を解決するためになされた請求項６記載の意匠照明装置は、請求項４記載の意匠照明装置において、前記複数の意匠は、前記文字板の下面に印刷形成されたものである、ことを特徴とする。
【００１８】
請求項５及び６記載の発明によれば、意匠が文字板の上下いずれに印刷形成されていてもよいので、多種多様の車両用計器に対して適用可能となる。
【００１９】
【発明の実施の形態】
以下、本発明の実施の形態を図面に基づいて説明する。
図１は、本発明が適用される車両用計器の一例を示す正面図である。ここに例示する車両用計器１は、スピードメータ部、燃料メータ部、水温メータ部、ギアポジション部等が一体化されたコンビネーションメータであり、図１に示すように、本体ケース１１、導光板１２（図２参照）、文字板１３、指針１４ａ〜１４ｃ、見返し１５、文字板１３の前方に覆設される表ガラス１６等を含んで構成される。また、このメータは、本体ケース１１に収容された、ここでは図示しないムーブメント、基板、光源等も有する。
【００２０】
本体ケース１１は、例えば、白色の樹脂製であり、ムーブメント、光源、各種電子部品を搭載する基板を両面から挟み込むようにして収容する、表カバー及び裏カバーにより構成される。本体ケース１１の側壁には、ねじ孔を有する取付片１１ｅ、１１ｆが設けられている。本体ケース１１には、文字板１３に形成された意匠を照明するための光源としてのＬＥＤ（Ｌｉｇｈｔ  Ｅｍｉｔｔｉｎｇ  Ｄｉｏｄｅ）を収容する光源収容室も設けられているが、これについては、導光板１２と共に図２を用いて後述する。
【００２１】
文字板１３は、例えば、ポリカーボネイト製であり、上からみると各メータ部に対応して横長形状をしている。この文字板１３上には、スピードメータ部、燃料メータ部、水温メータ部等の目盛りに対応した表示意匠１３ａ〜１３ｃ、各種ワーニング意匠１３ｄ（図２の１３ｄ１〜１３ｄ６からなる）、１３ｆ、方向指示意匠１３ｅ、レバーポジション意匠１３ｇ等が形成されている。これら意匠は、所定の数字やキャラクタを中抜きにして、透明生地の文字板１３に、例えば、黒系統色のインクを塗布することによって形成される。また、文字板１３には、この背面に配置されるＬＣＤ（Ｌｉｑｕｉｄ  Ｃｒｙｓｔａｌ  Ｄｉｓｐｌａｙ）等のディジタル表示装置に対応した形状の開口部１３ｈ、１３ｉも形成されている。
【００２２】
指針１４ａ〜１４ｃは、各メータ部にそれぞれ対応するムーブメントによって、それぞれの計測値に基づいた所定角度だけ回転駆動されて文字板１３上の所定の表示意匠を指示する。指針の構成及び動作は、周知なので、ここでは説明を省略する。見返し１５は、文字板１３と同様の横長形状をした黒色の樹脂製であり、各表示部位や意匠、指針基部等を除いて、文字板１３上の前面を覆う。表ガラス１６も、文字板１３と同様の横長形状をした黒色透明の樹脂製であり、いわゆるスモークガラスで構成される。
【００２３】
次に、図２及び図３を用いて、上記構成のうちで本発明に関わる部位及びその近傍の立体形状を示す。図２は、図１のワーニング意匠周辺の分解斜視図である。図３は、図２の一光源収容室の斜視図である。なお、図２において、本発明に直接的に関わりのない見返し、表ガラス、他の部位は割愛している。
【００２４】
図２に示すように、横長の平面形状をした本体ケース１１は、浅皿状に掘り下げられて形成された導光板収容部１１ａ及び１１ｂを有している。導光板収容部１１ａ及び１１ｂはそれぞれ、導光板１２ａ及び１２ｂに対応した形状をしている。導光板収容部１１ａの底面には、ムーブメントの回転軸が挿通される孔１１ａ１、導光板１２ａの受光部に対向する光源を収容する一対の光源収容室１１ａ２、意匠１３ｆに対向する光源を収容する光源収容室１１ａ３が設けられている。光源収容室１１ａ２は円形状開口部を有し、光源収容室１１ａ３は底面からやや突出した正三角形状開口部を有している。一方、導光板収容部１１ｂの底面にも、ムーブメントの回転軸が挿通される孔１１ｂ１、導光板１２ｂの受光部に対向する光源を収容する一対の光源収容室１１ｂ２が設けられている。光源収容室１１ｂ２は円形状開口部を有している。
【００２５】
上記導光板収容部１１ａ及び１１ｂの間には、他の光源収容室１１ｄ１〜１１ｄ６が設けられている。光源収容室１１ｄ１〜１１ｄ６はそれぞれ、文字板１３に形成されたワーニング意匠１３ｄ１〜１３ｄ６（以下、単に意匠１３ｄ１〜１３ｄ６ともよぶ）を照射するための光源を収容する。それらの立体形状は、代表して収容室１１ｄ４を挙げて説明すると、図３に示すように、底面開口部Ｏ１から意匠開口部Ｏ２に至るまで徐々に開口していくような四角柱筒状をしている。底面開口部Ｏ１は基板１１２上に実装された光源Ｌ４よりやや広めの正方形状をしており、意匠開口部Ｏ２は意匠１３ｄ４（図４（Ａ）参照）の形状に対応して正方形状をしている。底面開口部Ｏ１よりも意匠開口部Ｏ２の方が大きくなるように形成されているため、収容室１１ｄ４の側壁は底面開口部Ｏ１から徐々に広がるように傾斜している。また、底面開口部Ｏ１及び意匠開口部Ｏ２、並びに側壁１１ｄ４′の四隅Ｃ１〜Ｃ４は、意匠１３ｄ４の形状に応じたＲ付けがなされている。本明細書中、Ｒ付け又はＲ形状とは、例えば、図３に示す半径ｒ４の正円の一部を示している。なお、この光源収容室１１ｄ４以外の光源収容室１１ｄ１〜１１ｄ３、１１ｄ５、１１ｄ６も大きさは異なるが、同等の構成をしている。
【００２６】
図２に戻って、導光板１２ａ及び１２ｂは、導光性を有する樹脂製のプリズム型導光板であり、それぞれ導光板収容部１１ａ及び１１ｂに収容されて、文字板１３の背面側に配置される。導光板１２ａ及び１２ｂは、スピードメータ部及び燃料メータ部に対応した平面形状をしている。導光板１２ａには、指針軸の貫通孔を有する出光部１２ａ１、一対の受光部１２ａ２、光源収容室１１ｄ３の形状に対応した開口部１２ａ３が設けられている。また、導光板１２ｂには、指針軸の貫通孔を有する出光部１２ｂ１、及び一対の受光部１２ｂ２が設けられている。なお、ＬＣＤ１１０は、装着後の導光板１２ｂの上側に取り付けられる。
【００２７】
文字板１３には、上述したように複数種の意匠１３ａ、１３ｂ、１３ｄ、１３ｆ等が形成されると共に、開口部１３ｈや指針孔１３ｊ、１３ｋが設けられている。特に、意匠１３ｄは両メータ部間に集中的に配置された複数のワーニング意匠１３ｄ１〜１３ｄ６からなるワーニング意匠群である。上記光源収容室１１ｄ１〜１１ｄ６はそれぞれ、これらワーニング意匠１３ｄ１〜１３ｄ６に対応したものである。そして、文字板１３の指針孔１３ｊ等を介して指針１４ａ等が取り付けられる。
【００２８】
更に、図４及び図５を用いて、本発明に係る構成について説明を続ける。図４（Ａ）はワーニング意匠群近傍の正面図であり、図４（Ｂ）はワーニング意匠用の光源収容室近傍の正面図である。図５は、図４（Ａ）におけるＸＸ線断面図である。図６は、ワーニング意匠を文字板の下面に形成した例を示す断面図である。なお、図６も、図５と同等のＸＸ線断面図を想定しており、図６において、図５と共通する部分には共通の符号を付し重複説明は省略する。
【００２９】
図４（Ａ）に示すように、文字板１３の所定部位には、複数のワーニング意匠１３ｄ１〜１３ｄ６が集中的、連続的に配置されている。これらワーニング意匠１３ｄ１〜１３ｄ６の形状はそれぞれ、１１ｄ１、１１ｄ２、１１ｄ６に示すように横長であったり、１１ｄ３、１１ｄ４、１１ｄ５に示すように正方形であったりする。また、それらの縦横比も異なる。更に、それぞれの意匠開口部及び底面開口部、並びに側壁の四隅は、例えば、曲率半径ｒ３、ｒ４、ｒ６で示すように、意匠１３ｄ１〜１３ｄ６の形状に応じたＲ形状を有している。このような意匠１３ｄ１〜１３ｄ６の形状に応じたＲ形状により、それぞれ意匠に対してより照明効率を高めることができる。
【００３０】
このような種々の形状を有するワーニング意匠１３ｄ１〜１３ｄ６に基づいて、図４（Ａ）及び図４（Ｂ）に示すように、複数の光源収容室１１ｄ１〜１１ｄ６は異なる形状をしている。正確には、複数の光源収容室１１ｄ１〜１１ｄ６の意匠開口部の形状は対応する意匠形状に応じて異なるが、光源Ｌ１〜Ｌ５が配置されたそれらの底面開口部の形状は同等である。
【００３１】
このため、図５の断面図に示すように、それぞれの光源収容室１１ｄ１〜１１ｄ６は、ワーニング意匠１３ｄ１〜１３ｄ６の形状に応じた傾斜角の側壁１１ｄ１′〜１１ｄ５′を有する。図５において、Ｗ０はそれぞれの底面開口部の幅を示し、Ｄ１〜Ｄ５はワーニング意匠１３ｄ１〜１３ｄ６の幅を示している。
【００３２】
なお、文字板１３に形成されるワーニング意匠１３ｄ１〜１３ｄ６は、透明生地の文字板１３の両面に黒色印刷を施すことにより形成されるが、図５に示すようにワーニング意匠１３ｄ１〜１３ｄ６は、文字板１３の上面の印刷により形成する。そして、文字板１３の下面の印刷は、上面に形成されたワーニング意匠１３ｄ１〜１３ｄ６よりもやや広くなるように形成する。図５において、Ｗ１〜Ｗ５は下面印刷の幅を示している。
【００３３】
但し、上記文字板１３の上下面の印刷は逆にしてもよい。すなわち、図６に示すようにワーニング意匠１３ｄ１〜１３ｄ６は、文字板１３の下面の印刷により形成する。そして、文字板１３の上面の印刷は、下面に形成されたワーニング意匠１３ｄ１〜１３ｄ６よりもやや広くなるように形成する。本発明は、ワーニング意匠が文字板の上下いずれに印刷形成されていても同等の効果が得られることがわかっており、近年の車両用計器の多種多様化にも対応可能である。
【００３４】
このような構成において、図５における光源収容室１１ｄ４、意匠１３ｄ５を用いて、本発明に係る作用効果を以下に説明する。まず、所定のワーニング用トリガに応答して、基板１１２上に実装された光源Ｌ４が点灯すると、その出射光Ｒ４の一部は、光源収容室１１ｄ４内を直上方向に向かい直接的に意匠範囲Ｄ４の中央部を照射する。一方、出射光Ｒ４の他の一部は、光源収容室１１ｄ４の側壁１１ｄ４′に反射されて特に意匠範囲Ｄ４の端部を照射する。意匠範囲Ｄ４の端部は、この反射光のみならず、光源Ｌ４からの直接光によっても照射される。すなわち、意匠範囲Ｄ４の端部は、直接光及び反射光が合成されて照射される。このため、光源Ｌ４から、意匠範囲Ｄ４の中央部に比べて遠くにある端部も、中央部と同等に照射されることになる。
【００３５】
特に、本発明では、意匠形状に応じて側壁の傾斜角を替えている。すなわち、１３ｄ４に示すような比較的小さめの意匠に対しては側壁の傾斜角を急にし（より直立に近くする）、逆に、１３ｄ５に示すような比較的大きめの意匠に対しては側壁の傾斜角を緩やかにしている。ここで、意匠の大小とは、例えば、意匠の縦横の最大幅である。図５のＲ４′、Ｒ５′を比較すればわかるように、傾斜角が緩やかなほど反射角も小さくなるので、大きな意匠でも小さな意匠と同等に端部を効率的に照射することができる。意匠１３ｄ４以外の他の意匠１３ｄ１〜１３ｄ３、１３ｄ５、１３ｄ６に対しても同様の作用が発生する。したがって、同等の光源を用いながらも、意匠の大小に依らず端部にまで光を行き渡らせることが可能になる。この結果、全意匠１３ｄ１〜１３ｄ６に対してそれぞれ照明効率を高めることができる。なお、図６においても同様の作用効果が得られる。
【００３６】
以上のように、本発明の実施形態によれば、文字板に余分な印刷調光等を施すことなく、複数の意匠のそれぞれに対して照明効率を高めることができる。特に、形状の異なる多数のワーニング意匠が存在する車両用計器に適用されて有効となる。
【００３７】
なお、本発明は、上記車両用計器以外にも適用可能である。また、本発明は、ワーニング意匠以外にも適用可能である。本発明は、その主旨を逸脱しない範囲で変形されたものも含む。
【００３８】
【発明の効果】
以上説明したように、請求項１記載の発明によれば、複数の光源収容室はそれぞれ、底面開口部縁から複数の意匠の形状にそれぞれ応じた角度で上方に向かって徐々に開口するように形成された側壁及び複数の意匠に対応する形状の意匠開口部を有している。したがって、文字板に余分な印刷調光等を施すことなく、光源収容室のそれぞれの側壁傾斜角及び意匠開口部を複数の意匠形状に対応させて形成するだけで、複数の意匠のそれぞれに対して照明効率を高めることができる。
【００３９】
請求項２記載の発明によれば、光源収容室の側壁は、小さな意匠に対してはこれよりも大きな意匠よりも、より直立している。換言すれば、大きな意匠に対しては側壁の傾斜を緩やかにしている。したがって、意匠の大小に拘わらず、複数の意匠のそれぞれに対して照明効率を高めることができる。
【００４０】
請求項３記載の発明によれば、複数の光源収容室におけるそれぞれの意匠開口部、側壁及び底面開口部の四隅は共に、対応する複数の意匠の形状に応じたＲ形状をしているので、複数の意匠のそれぞれに対して更に照明効率を高めることができる。
【００４１】
請求項４記載の発明によれば、車両用計器における文字板に形成されたワーニング意匠群に適用されて更に効果を発揮する。すなわち、車両用計器においては、形状の異なる多数のワーニング意匠が存在するため、全ワーニング意匠に対してそれぞれ最適な印刷調光等を施すことは困難かつ多大な工数が必要であるが、本発明によりこれを解決することができる。
【００４２】
請求項５及び６記載の発明によれば、意匠が文字板の上下いずれに印刷形成されていてもよいので、多種多様の車両用計器に対して適用可能となる。
【図面の簡単な説明】
【図１】本発明が適用される車両用計器の一例を示す正面図である。
【図２】図１のワーニング意匠周辺の分解斜視図である。
【図３】図２の一光源収容室の斜視図である。
【図４】図４（Ａ）はワーニング意匠群近傍の正面図であり、図４（Ｂ）はワーニング意匠の光源収容室近傍の正面図である。
【図５】図４（Ａ）におけるＸＸ線断面図である。
【図６】図４（Ａ）の変形例であり、ワーニング意匠を文字板の下面に形成した例を示す断面図である。
【図７】従来の照明装置を示す正面図である。
【図８】図７の照明装置の概略断面図である。
【符号の説明】
１  車両用計器
１１  本体ケース
１１ｄ１〜１１ｄ６  光源収容室
１２、１２ｂ、１２ｃ  導光板
１３  文字板
１３ｄ、１３ｄ１〜１３ｄ６  ワーニング意匠（意匠）
１４ａ、１４ｂ、１４ｃ  指針
１５  見返し
１６  表ガラス
【図１】
2004354455.tif 000003
【図２】
2004354455.tif 000004
【図３】
2004354455.tif 000005
【図４】
2004354455.tif 000006
【図５】
2004354455.tif 000007
【図６】
2004354455.tif 000008
【図７】
2004354455.tif 000009
【図８】
2004354455.tif 000010